(57)【要約】【課題】溝壁間を閉塞すると共に、溝底を構成する２つの部材間の継ぎ目部分を閉塞可能なガスケットを提供すること。【解決手段】溝に挿入されるガスケットであって、２つの部材間の継ぎ目部分により構成された前記溝の溝底に対して、前記２つの部材に跨って粘着する粘着部を備える。【選択図】図１
2016014300.tif 000002
【特許請求の範囲】
【請求項１】
溝に挿入されるガスケットであって、
２つの部材間の継ぎ目部分により構成された前記溝の溝底に対して、前記２つの部材に跨って粘着する粘着部を備えることを特徴とするガスケット。
【請求項２】
長尺板状の胴部と、前記胴部から外方に突出して前記溝の溝壁に対して密着する突出部と、を備え、
前記粘着部は、前記胴部の挿入方向の先端面に積層された粘着層であることを特徴とする、請求項１に記載のガスケット。
【請求項３】
前記先端面は、矩形平面であり、
前記粘着層は、前記矩形平面の全域を覆うように積層されていることを特徴とする、請求項２に記載のガスケット。
【請求項４】
前記粘着層は、前記胴部の前記先端面上に積層された両面テープの一方の粘着層であることを特徴とする、請求項２又は３に記載のガスケット。
【請求項５】
前記溝は、建築物の外装パネル間の目地であることを特徴とする、請求項１乃至４のいずれか１つに記載のガスケット。
【請求項６】
前記２つの部材は、建築物のボード状断熱材であることを特徴とする、請求項１乃至５のいずれか１つに記載のガスケット。
【発明の詳細な説明】
【技術分野】
【０００１】
本発明は、ガスケットに関し、特に、粘着部を備えるガスケットに関する。
【背景技術】
【０００２】
従来から、建物の壁パネル間に形成された間隙を塞いで、雨水等の浸入を抑制する方法として、間隙にシーリング材を注入する方法や、ガスケットを挿入する方法などが実施されている。特許文献１には、壁パネルの端面間に形成される端面空間にガスケットが挿入される目地構造を開示している。
【先行技術文献】
【特許文献】
【０００３】
【特許文献１】特開２００９−０５７７１７号公報
【発明の概要】
【発明が解決しようとする課題】
【０００４】
ところで、従来のガスケットは、壁パネル間などの溝に挿入する際、ガスケットによって溝壁間を閉塞するものであり、例えば溝底に間隙が形成されている場合に、その間隙自体を閉塞する構成は備えていない。
【０００５】
本発明の目的は、溝壁間を閉塞すると共に、溝底を構成する２つの部材間の継ぎ目部分を閉塞可能なガスケットを提供することである。
【課題を解決するための手段】
【０００６】
本発明の第１の態様としてのガスケットは、溝に挿入されるガスケットであって、２つの部材間の継ぎ目部分により構成された前記溝の溝底に対して、前記２つの部材に跨って粘着する粘着部を備えることを特徴とするものである。
【０００７】
本発明の１つの実施形態としてのガスケットは、長尺板状の胴部と、前記胴部から外方に突出して前記溝の溝壁に対して密着する突出部と、を備え、前記粘着部は、前記胴部の挿入方向の先端面に積層された粘着層であることが好ましい。
【０００８】
本発明の１つの実施形態として、前記先端面は、矩形平面であり、前記粘着層は、前記矩形平面の全域を覆うように積層されていることが好ましい。
【０００９】
本発明の１つの実施形態として、前記粘着層は、前記胴部の前記先端面上に積層された両面テープの一方の粘着層であることが好ましい。
【００１０】
本発明の１つの実施形態として、前記溝は、建築物の外装パネル間の目地であることが好ましい。
【００１１】
本発明の１つの実施形態として、前記２つの部材は、建築物のボード状断熱材であることが好ましい。
【発明の効果】
【００１２】
本発明によれば、溝壁間を閉塞すると共に、溝底を構成する２つの部材間の継ぎ目部分を閉塞可能なガスケットを提供することができる。
【図面の簡単な説明】
【００１３】
【図１】本発明の一実施形態としてのガスケットの横断面図である。
【図２】図１のガスケットを用いた断熱気密外壁構造を示す平断面図である。
【図３】図２の断熱気密外壁構造を構成する１つの複合パネルユニットを示す平断面図である。
【図４】図３に示す複合パネルユニットのＩ―Ｉ線での縦断面図である。
【図５】図３に示す複合パネルユニットを外面側から見た図である。
【発明を実施するための形態】
【００１４】
以下、本発明に係るガスケットの実施形態について、図１〜図５を参照して説明する。図１は、本発明の一実施形態としてのガスケット３の横断面図である。
【００１５】
ガスケット３は、外方から溝に挿入され、溝を閉塞するものである。また、ガスケット３は、２つの部材間の継ぎ目部分により構成された溝の溝底に対して、２つの部材に跨って粘着する粘着部１６を備える。まず、ガスケット３単体の詳細について説明する。
【００１６】
図１に示すように、ガスケット３は、長尺板状の胴部２１と、この胴部２１から外方に突出して溝の溝壁に対して密着する突出部２２と、を備える。上述した粘着部１６は、胴部２１の挿入方向Ａの先端面２３に直接又は別の層を介して積層された粘着層である。
【００１７】
胴部２１は、長尺な矩形板状の外形を有し、厚み方向Ｂ（挿入方向Ａと直交する方向）に位置する両面（両側面）が溝壁に対向するように挿入される。胴部２１の挿入方向Ａの先端面２３は、溝の延在方向に沿うように延在する長尺な矩形平面であり、粘着部１６としての粘着層は、この矩形平面の全域を覆うように積層されている。
【００１８】
なお、胴部２１は、例えば、塩化ビニルやクロロプレンなど、難燃性の樹脂材料で構成することができる。また、粘着部１６は、例えば、アクリル系やブチル系の粘着剤を使用することができる。
【００１９】
より具体的に、本実施形態の胴部２１の挿入方向Ａの先端部２４は、挿入方向Ａに向かうにつれて厚み方向Ｂの厚みが漸増するように構成され、先端面２３における厚みが最も厚い構成となっている。粘着部１６としての粘着層は、この先端面２３の全域を覆うように積層され、粘着面が広く確保されているため、粘着層を、溝底を構成する２つの部材の継ぎ目部分において、両者に跨って粘着させることが容易となる。
【００２０】
なお、本実施形態の粘着層は、胴部２１の先端面２３上に積層された両面テープの一方の粘着層により構成されている。換言すれば、本実施形態の粘着部１６としての粘着層は、胴部２１の先端面２３に、胴部２１の先端面２３に粘着する他方の粘着層２４及び両面テープの基材層２５を介して積層されている。両面テープの基材層２５としては、金属フィルムや合成樹脂フィルムなどの各種材料を用いることができる。更に、粘着部１６は、ガスケット３の未使用時には離型紙が積層されて保護されており、ガスケット３の使用時に離型紙が取り外されて利用可能な状態とされる。
【００２１】
突出部２２は、胴部２１と一体で形成されていると共に、胴部２１の厚み方向Ｂに位置する両側面それぞれから外方に突出するように形成された複数のリップである。突出部２２は、ガスケット３が溝に挿入される際に、溝の溝壁に対して接触しながら変形して溝壁に対して密着すると共に、胴部２１の位置を溝壁間の中央位置に安定的に維持する。従って、ガスケット３が溝に挿入される際に、胴部２１の先端面２３に積層された粘着層を、溝底を構成する２つの部材間の継ぎ目部分へと、容易に案内することができる。なお、突出部２２は、胴部２１のうち、挿入方向Ａに向かって厚みが増加する先端部２４の側面には形成されておらず、先端部２４よりも基端部側の位置に形成されている。
【００２２】
なお、本実施形態の突出部２２は、胴部２１の両側面からひれ状に突出するリップであるが、突出部２２の形状はこれに限られるものではなく、溝壁に対して接触することにより変形し、溝壁に対して密着するような構成であればよい。また、本実施形態の突出部２２は、胴部２１と同材料により一体で形成されているが、例えば、胴部２１とは異なる難燃性の材料により突出部を形成するようにしてもよい。
【００２３】
以下、本発明の一実施形態としてのガスケット３を適用した、鉄骨柱及び鉄骨梁からなる鉄骨軸組構造の建物（住宅）の断熱気密外壁構造１について、図２〜図５を参照しながら説明する。
【００２４】
図２は、断熱気密外壁構造１を示す平断面図である。なお、図２は、建物の周囲を覆う断熱気密外壁構造１のうち、１本の鉄骨柱１００の周囲のみ示した平断面図である。
【００２５】
断熱気密外壁構造１は、柱部材としての鉄骨注１００の屋外側で、建物の周囲を囲むように連接される複数の複合パネルユニット２と、複数の複合パネルユニット２間の溝としての目地１２に挿入されるガスケット３と、鉄骨柱１００の屋内側に設けられた内装材９０としての石膏ボードと、を備える。なお、図２では、連接される複数の複合パネルユニット２のうち、隣接する２つの複合パネルユニットである、第１の複合パネルユニット２ａ及び第２の複合パネルユニット２ｂを示している。
【００２６】
図３〜図５は、第１の複合パネルユニット２ａを示す図である。具体的に、図３は、第１の複合パネルユニット２ａの平断面図であり、図４は、第１の複合パネルユニット２ａの、図３に示すＩ―Ｉ線での縦断面図である。図５は、第１の複合パネルユニット２ａを外面側から見た図である。第１の複合パネルユニット２ａは、外装パネル層４ａと、この外装パネル層４ａの内面側に位置するボード状断熱材層５ａと、外装パネル層４ａ及びボード状断熱材層５ａが固定される取付下地材６ａと、ボード状断熱材層５ａの内面に貼り付けられたボード面材７ａと、ボード面材７ａの内面に形成された充填断熱材層８ａと、外装パネル層４ａ及びボード状断熱材層５ａの間に位置する通気胴縁９ａと、が一体化されたパネル材である。なお、ここでは、建物の屋内側を「内面側」、屋外側を「外面側」と記載する。また、鉛直方向を「上下方向」、内外方向と直交する水平方向を「左右方向」と記載する。更に、「左側」及び「右側」は、外面側から見た場合の方向を示すものとする。
【００２７】
外装パネル層４ａは、内面側及び外面側から見た場合に四角形状の外形を有する外装パネル１０を、上下方向及び左右方向に複数連接することにより形成された板状の層である。より具体的に、外装パネル１０は、上下面同士が隣接するように上下方向に連接されており、左右の側面同士が隣接するように左右方向に連接されている。そのため、図５に示すように、外装パネル層４ａ全体で見た場合も、内面側及び外面側から見た場合には四角形状の外形を有している。
【００２８】
なお、外装パネル層４ａにおいて、上下方向において隣接する２つの外装パネル１０間は、上側に位置する外装パネル１０の下面と、下側に位置する外装パネル１０の上面とが当接するように隣接している（図４参照）。また、外装パネル層４ａにおいて、左右方向において隣接する２つの外装パネル１０間は、左側に位置する外装パネル１０の右面と、右側に位置する外装パネル１０の左面とが当接するように隣接している（図３参照）。外装パネル層４ａにおいて、外装パネル１０の上下方向及び左右方向における継ぎ目部分には、湿式のシーリング材等の目地処理材Ｘが充填される。
【００２９】
ここで示す外装パネル層４ａでは、外装パネル１０として、軽量発泡コンクリート製のパネル（ＡＬＣパネル）を使用しているが、外装パネル１０の材質はこれに限られるものではなく、例えば、木質系や金属系のサイディング等を用いることもできる。また、ここで示す外装パネル層４ａは、８枚（上下方向に４枚、左右方向に２枚）の外装パネル１０により構成されているが、外装パネル層を構成する外装パネル１０の枚数についてもこれに限られるものではなく、建物の階高、柱間距離、デザイン等に応じて適宜変更することができる。更に、外装パネル層４ａの内面及び外面は、上下方向の高さが建物の階高と同じ高さ寸法を有し、幅が２間（３．６ｍ）の寸法を有するように構成されているが、外装パネル１０自体の寸法や外装パネル４ａ全体の寸法についても、これに限られるものではなく、建物のデザイン等に応じて適宜変更するが可能であり、例えば、隣り合う柱間を塞ぐ幅として、半間（０．９ｍ）〜２間（３．６ｍ）の幅を有するものとすることができる。
【００３０】
ボード状断熱材層５ａは、内面側及び外面側から見た場合に四角形状の外形を有するボード状断熱材１１を、上下方向及び左右方向に複数連接することにより形成された板状の層である。より具体的に、ボード状断熱材１１は、上下面同士が隣接するように上下方向に連接されており、左右の側面同士が隣接するように左右方向に連接されている。そのため、ボード状断熱材層５ａ全体で見た場合も、内面側及び外面側から見た場合には四角形状の外形を有している。
【００３１】
なお、複数のボード状断熱材１１の上下面同士及び左右の側面同士の継ぎ目部分は、気密性を確保するために、当接するように隣接させることが好ましい。但し、継ぎ目部分を、所定間隔（例えば５ｍｍ）以下の間隙を隔てて隣接する構成としてもよい。なお、ボード状断熱材層５ａにおいて、隣接するボード状断熱材１１間の継ぎ目部分には、外面側又は内面側から、例えばアクリル系やブチルゴム系などの気密テープＹが、隣接するボード状断熱材１１の両方に跨るように貼着されている。
【００３２】
ここで示すボード状断熱材層５ａでは、ボード状断熱材１１として、フェノールフォーム製のソリッドなボード状断熱材を使用しているが、これに限られるものではなく、一定の外形を保持可能に成形されたソリッドな断熱材であればよく、例えば、押出発泡ポリスチレン（ＸＰＳ）製、ビーズ法ポリスチレンフォーム（ＥＰＳ）製などのソリッドなボード状断熱材を使用することも可能である。また、ここで示すボード状断熱材層５ａは、外装パネル層４ａの寸法に合わせて、９枚（上下方向３枚、左右方向３枚）のボード状断熱材１１により構成されている。
【００３３】
ここで、ボード状断熱材層５ａの内面及び外面は、上述した外装パネル層４ａと略等しい高さ寸法を有する一方で、その幅（左右方向長さ）は、上述した外装パネル層４ａの幅よりも若干大きく構成されている。また、ボード状断熱材層５ａは、その幅方向中心線Ｏ５が外装パネル層４ａの幅方向中心線Ｏ４と略一致するように、外装パネル層４ａの内面側に配置されている。
【００３４】
このような構成とすることにより、第１の複合パネルユニット２ａにおけるボード状断熱材層５ａの右面と、第２の複合パネルユニット２ｂにおけるボード状断熱材層５ｂの左面とを、当接させるように隣接、又は所定間隔以下の間隙を隔てて隣接させる場合に（図２参照）、第１の複合パネルユニット２ａにおける外装パネル層４ａの右面と、第２の複合パネルユニット２ｂにおける外装パネル層４ｂの左面との間に、上下方向に直線状に延在する目地１２（溝）を形成することができる。更に、第１複合パネルユニット２ａにおけるボード状断熱材層５ａの右面と、第２の複合パネルユニット２ｂにおけるボード状断熱材層５ｂの左面とが隣接する継ぎ目部分を、目地１２の延在方向に沿って、溝底としての目地底に位置させることができる。なお、ここで示す目地１２は１０ｍｍ程度の幅である。また、外装パネル層４ａの外面から目地底までの深さは、２８ｍｍ以上（外装パネル１０の厚さが１２ｍｍ以上であり、通気胴縁９ａの厚さ（通気層）が１５ｍｍ以上）としている。
【００３５】
取付下地材６ａは、外装パネル層４ａ及びボード状断熱材層５ａが固定されるフレーム部材であり、横断面がコの字型の薄板形鋼（溝形鋼）で形成されている。また、取付下地材６ａは、左右方向に延在する横材６０ａ及び上下方向に延在する縦材６１ａを備えている。横材６０ａは、例えば基礎上に外壁に沿って設置され、縦材６１ａは、その横材６０ａ上で等間隔に複数配置されている。縦材６１ａの上側にもＨ型鋼などの鉄骨梁に固定された横材６０ａが設置されている。従って、縦材６１ａは、横材６０ａにより上下が覆われている。
【００３６】
取付下地材６ａは、外装パネル層４ａ、通気胴縁９ａ、ボード状断熱材層５ａ及びボード面材７ａの内面側に位置しており、これらの部材を支持している。具体的に、各縦材６１ａは、一方の溝壁１４ａが内面側に対向し、他方の溝壁１５ａが外面側に対向するように配置されており、外装パネル層４ａ、通気胴縁９ａ、ボード状断熱材層５ａ及びボード面材７ａは、ビスやねじ等の締結手段９１により、他方の側壁１５ａに対して直接的又は間接的に固定されている。
【００３７】
より具体的に、ボード状断熱材層５ａは、ボード状断熱材層５ａの内面に貼り付けられているボード面材７ａ、及びボード状断熱材層５ａの外面上に設けられた通気胴縁９ａと共に、ねじにより、取付下地材６ａ（縦材６１ａの他方の側壁１５ａ）に対して直接固定されている。なお、ボード状断熱材層５ａは、取付下地材６ａに対してねじにより固定される前に、ボード面材７ａに対して両面テープ（不図示）により仮固定されており、この仮固定されて一体化されたボード状断熱材層５ａ及びボード面材７ａが、通気胴縁９ａと共に、ねじにより、取付下地材６ａに対して固定される。また、外装パネル層４ａは、外装パネル層４ａの内面側に位置する通気胴縁９ａ及びボード状断熱材層５ａに対して、ねじにより直接固定されることにより、間接的に取付下地材６ａに対して固定されている。但し、外装パネル層４ａ及びボード状断熱材層５ａの両方を、取付下地材６ａに対して直接固定することも可能である。例えば、ねじを、外装パネル層４ａの外面から通気胴縁９ａ及びボード状断熱材層５ａを貫通するように螺入することにより、外装パネル層４ａ及びボード状断熱材層５ａの両方を取付下地材６ａに対して直接固定することができる。
【００３８】
ボード面材７ａは、第１の複合パネルユニット２ａ全体の形状維持や、ボード状断熱材層５ａの損傷を防止するために、ボード状断熱材層５ａの内面全域に貼り付けられている。
【００３９】
充填断熱材層８ａは、隣接する縦材６１ａの間の位置で、ボード面材７ａの内面上に積層された断熱材層である。充填断熱材層８ａは、ボード状断熱材１１と同様、ソリッドな断熱材で形成することができるが、ソリッドな断熱材に限られるものではなく、例えば、グラスウールやロックウールなどで形成された断熱材層とすることもできる。充填断熱材層８ａは、ボード面材７ａに対して接着剤や両面テープ等により固定されている。なお、壁内での結露を抑制するために、充填断熱材層８ａの熱抵抗値を、ボード状断熱材層５ａの熱抵抗値よりも小さくすることが好ましい。
【００４０】
通気胴縁９ａは、横断面が長方形であり、上下方向に長尺な長尺部材である。この通気胴縁９ａは、外装パネル層４ａとボード状断熱材層５ａとの間で両者に挟み込まれている。また、通気胴縁９ａは、左右方向に離隔して複数配置されている。これにより、左右方向に隣接する通気胴縁９ａの間に通気層が形成される。なお、左右方向に隣接する通気胴縁９ａの離隔距離は、例えば３００ｍｍ程度とすることができ、外装パネル層４ａは、各通気胴縁９ａに対してねじ等により固定されている。
【００４１】
なお、ここで示す第１の複合パネルユニット２ａは、外装パネル層４ａ、ボード状断熱材層５ａ、取付下地材６ａ、ボード面材７ａ、充填断熱材層８ａ及び通気胴縁９ａを備える構成であるが、この構成に限られるものではなく、外装パネル層、ボード状断熱材層、及び取付下地材を少なくとも備える構成であればよく、例えば、上述したボード面材７ａ及び充填断熱材層８ａを有さない複合パネルユニットとすることもできる。
【００４２】
第２の複合パネルユニット２ｂは、外装パネル層４ｂと、この外装パネル層４ｂの内面側に位置するボード状断熱材層５ｂと、外装パネル層４ｂ及びボード状断熱材層５ｂが固定される取付下地材６ｂと、ボード状断熱材層５ｂの内面に貼り付けられたボード面材７ｂと、ボード面材７ｂの内面に形成された充填断熱材層８ｂと、外装パネル層４ｂ及びボード状断熱材層５ｂの間に位置する通気胴縁９ｂと、が一体化されたパネル材である。なお、第２の複合パネルユニット２ｂの各部材の構成は、上述した第１の複合パネルユニット２ａの各構成と共通するため、ここでは説明を省略する。
【００４３】
図２に示すように、断熱気密外壁構造１において、第１の複合パネルユニット２ａ及び第２の複合パネルユニット２ｂは、鉄骨柱１００の外面側で、外装パネル層４ａ及び４ｂの左右の側面間に目地１２が形成されるように、更に、ボード状断熱材層５ａ及び５ｂの左右の側面同士が当接することにより隣接して、又は所定間隔以下の間隙を隔てて隣接して継ぎ目部分が形成されるように配置されている。なお、第１及び第２の複合パネルユニット２ａ及び２ｂは、取付下地材６ａ及び６ｂを介して建物の基礎や鉄骨梁に対して固定される。
【００４４】
換言すれば、第１の複合パネルユニット２ａ及び第２の複合パネルユニット２ｂが、図２のように連接された状態において、外装パネル層４ａを構成する外装パネル１０ａと、外装パネル層４ｂを構成する外装パネル１０ｂとは、両者の間に溝としての目地１２が形成されるように互いに左右方向に離隔して配置されている。
【００４５】
また、ボード状断熱材層５ａを構成するボード状断熱材１１ａと、ボード状断熱材層５ｂを構成するボード状断熱材１１ｂとは、上述した２つの外装パネル１０ａ及び１０ｂの内面側で、外装パネル１０ａ及び１０ｂの内面に沿うように配置されている。更に、ボード状断熱材１１ａ及び１１ｂは、互いの継ぎ目部分が、目地１２（溝）の延在方向に沿って目地底（溝底）に位置するように配置されている。つまり、断熱気密外壁構造１を外面側から見た場合に、ボード状断熱材１１ａ及び１１ｂの継ぎ目部分、すなわち、ボード状断熱材１１ａの右側外縁部及びボード状断熱材１１ｂの左側外縁部は、目地１２内に位置するように延在している。なお、「２つのボード状断熱材の継ぎ目部分」とは、２つのボード状断熱部材の外縁部のうち、当接することにより隣接して、又は所定間隔以下の間隙を隔てて隣接して配置された両方の外縁部を意味する。
【００４６】
また更に、取付下地材６ａ及び６ｂは、ボード状断熱材１１ａ及び１１ｂそれぞれの内面側に位置し、取付下地材６ａには、外装パネル１０ａ及びボード状断熱材１１ａが固定され、取付下地材６ｂには、外装パネル１０ｂ及びボード状断熱材１１ｂが固定されている。
【００４７】
なお、図２に示すように、第１の複合パネルユニット２ａ及び第２の複合パネルユニット２ｂが連接された状態において、鉄骨柱１００は、取付下地材６ａと取付下地材６ｂとの間に位置し、鉄骨柱１００、取付下地材６ａ、及び取付下地材６ｂの内面側には、内装材９０としての石膏ボードが取り付けられる。
【００４８】
ガスケット３は、上下方向に延在する溝としての目地１２に挿入され、目地１２の延在方向に亘って、目地１２を閉塞する。
【００４９】
ガスケット３の胴部２１の先端面２３（断熱気密外壁構造１においては胴部２１の内面）に積層された粘着部１６としての粘着層は、目地底（溝底）を構成するボード状断熱材１１ａ及び１１ｂの継ぎ目部分において、ボード状断熱材１１ａ及び１１ｂの両方の外面に跨って粘着している。更に、粘着部１６は、隣接する２つのボード状断熱材１１ａ及び１１ｂの継ぎ目部分のみならず、ボード状断熱材１１ａを含むボード状断熱材層５ａ及びボード状断熱材１１ｂを含むボード状断熱材層５ｂの継ぎ目部分全域において、ボード状断熱材層５ａ及び５ｂの両方の外面に跨って粘着している。より具体的に、粘着部１６は、ボード状断熱材層５ａの外面の右側縁部とボード状断熱材層５ｂの外面の左側縁部との両方に跨って粘着している。
【００５０】
このように、断熱気密外壁構造１によれば、外装パネル１０の外面側からであっても、外装パネル１０の内面側に位置する２つのボード状断熱材１１間の継ぎ目部分を気密化することができる。そのため、ボード状断熱材の継ぎ目部分に対してボード状断熱材の外面側から気密テープを貼着する気密工事を、外装パネルをボード状断熱材の外面側に取り付ける前に建設現場で行う必要が無くなる。すなわち、建設現場において、外装パネル及びボード状断熱部材を、それぞれ別々に取り付ける施工を行う必要性が無くなり、複数の外装パネル１０で構成される外装パネル層、複数のボード状断熱材１１で構成されるボード状断熱材層、及び取付下地材が一体化された複合パネルユニットを工場で製造してから現場に搬送し、建設現場で連接させる施工を行うことが可能となる。
【００５１】
この施工方法によれば、ボード状断熱材間の気密工事を、外装パネルの外面側から実施できるため、従来は建設現場で行っていた多くの外壁工事を、工場で複合パネルユニット２を製造する際に実施することができ、建設現場では複合パネルユニット間の継ぎ目処理だけでよい。そのため、建設現場での省力化を実現することができると共に、工期短縮や、工場管理による品質向上を図ることができる。
【００５２】
また、建設現場で連接された複数の複合パネルユニット２間の継ぎ目処理（目地１２の閉塞処理及びボード状断熱材間の継ぎ目部分の閉塞処理）に関しても、ガスケット３を目地１２に挿入し、押し込む単純な作業により行うことができるため、施工者の施工ノウハウやテクニック等によらずに、安定した気密性の確保が可能となる。
【００５３】
具体的に、ガスケット３の突出部２２は、ガスケット３が目地１２に挿入される際に、２つの外装パネル１０ａ及び１０ｂそれぞれの側面に接触しながら変形すると共に、これらに密着する。すなわち、ガスケット３は、突出部２２が溝壁としての、２つの外装パネル１０ａ及び１０ｂそれぞれの側面に対して密着して目地１２を閉塞することにより、目地１２を気密化及び水密化する。また更に、突出部２２が２つの外装パネル１０ａ及び１０ｂそれぞれの側面に対して変形しながら密着し、胴部２１が突出部２２を介して両側の側面から均等な反力を受けることにより、ガスケット３の挿入の際に、胴部２１の位置は、２つの外装パネル１０ａ及び１０ｂの側面（溝壁）間の中央位置に安定的に維持される。そのため、ガスケット３を目地１２に挿入し、目地底に向かって押し付けるだけで、位置ずれを起こすことなく、粘着部１６を、ボード状断熱材１１ａ及び１１ｂの継ぎ目部分で両者に跨るように粘着させることができる。
【００５４】
上述したように、ガスケット３の粘着部１６は、胴部２１の先端面２３（内面）に取り付けられた両面テープの一方の粘着層であり、断熱気密外壁構造１においては、この粘着部１６が、ボード状断熱材１１ａ及び１１ｂの継ぎ目部分において、ボード状断熱材１１ａ及び１１ｂの両方の外面に跨って粘着する。これにより、ボード状断熱材１１ａ及び１１ｂの継ぎ目部分が閉塞され、気密化される。
【００５５】
ここで、粘着部１６は、先端面２３に直接積層した粘着層とすることも可能であるが、本実施形態のガスケット３の粘着部１６のように、両面テープの基材層２５のような、胴部２１とは異なる別部材を介在させて先端面２３に積層させる構成とすることが好ましい。このような構成とすることにより、例えば地震等が発生した場合であっても、ガスケット３の胴部２１のせん断破壊を抑制することができる。更に、胴部２１は、たとえ両面テープの基材層２５がせん断破壊してしまったとしても、他方の粘着層２４により、ボード状断熱材１１ａ及び１１ｂ間の継ぎ目部分は依然として気密状態が維持されるため、建物の気密性能が大きく低減することを抑制できる。
【００５６】
なお、本実施形態のガスケット３では、両面テープの基材層２５を先端面２３と粘着部１６との間に介在させたが、先端面２３から第１粘着層、先端部材、及び粘着部１６としての第２粘着層の順に積層させる構成であればよく、両面テープの基材層２５に限られるものではない。
【００５７】
また、上述したように、胴部２１の挿入方向Ａ（断熱気密外壁構造１においては外面から内面に向かう方向）の先端部２６（断熱気密外壁構造１においては内面側端部）は、挿入方向Ａに向かうにつれて厚み方向Ｂ（断熱気密外壁構造１においては左右方向）の厚みが漸増するように構成され、先端面２３における厚みが最も厚い構成となっている。これにより、粘着部１６を、目地底（溝底）を構成するボード状断熱材１１ａ及び１１ｂの継ぎ目部分において、両者に跨って粘着させることが容易となる。なお、ガスケット３の長さは、溝としての目地１２の延在方向の長さ等に応じて、適宜変更することが可能である。
【００５８】
ここで、本実施形態のガスケット３は、目地処理材Ｘとしての湿式シーリング材８０が外面側に充填されるバックアップ材（バッカー）である。湿式シーリング材８０は、ガスケット３の外面側に充填される。ガスケット３をバッカーとして、その外面側に湿式シーリング材８０を充填する構成とすれば、湿式シーリング材８０が外装パネル１０の側面に隙間なく密着するため、目地１２の気密性及び防水性を一層向上させることができると共に、建物の外観の意匠性をも向上させることができる。
【産業上の利用可能性】
【００５９】
本発明は、ガスケットに関し、特に、粘着部を備えるガスケットに関する。
【符号の説明】
【００６０】
１：断熱気密外壁構造
２：複合パネルユニット
２ａ：第１の複合パネルユニット
２ｂ：第２の複合パネルユニット
３：ガスケット
４ａ、４ｂ：外装パネル層
５ａ、５ｂ：ボード状断熱材層
６ａ、６ｂ：取付下地材
７ａ、７ｂ：ボード面材
８ａ、８ｂ：充填断熱材層
９ａ、９ｂ：通気胴縁
１０、１０ａ、１０ｂ：外装パネル
１１、１１ａ、１１ｂ：ボード状断熱材
１２：目地（溝）
１４ａ：一方の溝壁
１５ａ：他方の溝壁
１６：粘着部（両面テープの一方の粘着層）
２１：胴部
２２：突出部
２３：先端面
２４：両面テープの他方の粘着層
２５：両面テープの基材層
２６：先端部
６０ａ：横材
６１ａ：縦材
８０：湿式シーリング材
９０：内装材
９１：締結手段
１００：鉄骨柱（柱部材）
Ｏ４：外装パネル層の左右方向中心線
Ｏ５：ボード状断熱材層の左右方向中心線
Ｘ：目地処理材
Ｙ：気密テープ
【図１】
2016014300.tif 000003
【図２】
2016014300.tif 000004
【図３】
2016014300.tif 000005
【図４】
2016014300.tif 000006
【図５】
2016014300.tif 000007